(57)【特許請求の範囲】
【請求項１】
マンホール蓋の鍵孔に抜き差し自在に構成され、当該鍵孔に挿入され、鍵孔を閉塞した状態で抜き取り不可能に施錠される閉塞栓と、
この閉塞栓を施解錠するためのキーと、を備え、
前記閉塞栓は、
中央に鍵を挿入するための開口を備え、下面がマンホール蓋の上面に当接する円盤部と；この円盤部の下面から、当該円盤部と同心に下方へ延出し、マンホール蓋の鍵孔に挿入可能とされ、内側に前記円盤部の開口より内径の大きな円筒空間を有すると共に、内周に軸方向に延びるロック溝を有し、円筒空間より小径の開口を有する蓋で下端が閉塞されるハウジング部と；を具備する本体と、
前記ハウジング部の下端周縁部の半径方向対向位置から軸方向に下方へ延出し、それぞれ右回転規制面と左回転規制面を有する一対のストッパ杆と、
上端が開放し、下端が開口を有する下端壁で閉塞され、側壁に軸方向のスリットを有すると共に、回転方向左右に対向する左回転受動面と右回転受動面とを持つ切欠き部を有し、回転軸線を中心に相対回転自在に前記ハウジング部内に収容されるシリンダ部と；このシリンダ部の前記開口に連通する貫通孔を有し、シリンダ部の下端壁の中央から下方へ軸方向に延出して、前記蓋の開口を相対回転自在に貫通するねじ棒部と；を具備するロータと、
前記ロータのシリンダ部内の上部に回転軸線を中心に相対回転自在に収容され、当該シリンダ部の内径と同径の円形基本外周を持ち、中央に鍵挿入開口を有し、基本外周の互いに９０°離れた位置に、第１、第２の2つの凹部を有すると共に、当該２つの凹部間に基本外周からなるロック部を有するリテーナディスクと、
それぞれ前記リテーナディスクの下方に配置され、前記リテーナディスクと同径の円形基本外周を持ち、中央に互いに異なる形状の鍵挿入開口を有すると共に、基本外周の互いに４５°離れた位置に、第１、第２の2つの凹部を有すると共に、当該第１の凹部から左回転に１３５°離れた位置に、前記シリンダ部の切欠き部内へ突出する駆動凸部を有し、当該駆動凸部がシリンダ部の切り欠き部内で相対回転を許容される４５°の範囲内で回転軸線を中心に相対回転自在に前記ロータのシリンダ部内に収容される第１及び第２の少なくとも２つのコードディスクと、
前記シリンダ部のスリット内に保持され、前記ハウジング部のロック溝に落ち込んだ外方位置と前記コードディスク及びリテーナディスクの凹部に落ち込んだ内方位置との間をシリンダ部の半径方向に移動自在で、常時はシリンダ部と共にハウジング部内を回転移動自在であるが、リテーナディスクのロック部に当接してロック溝に落ち込んだとき、ロータがハウジング部内で相対回転することを妨げるサイドバーと、
マンホール蓋の鍵孔に対して所定の回転角度位置において当該鍵孔を通過するが他の回転角度位置では通過不可能な外形をなし、前記ねじ棒に螺合され、マンホール蓋の下面下にあって、当該ねじ棒の右回転時に前記ストッパ杆の右回転規制面に当接することにより前記本体に対して相対的に上昇して前記円盤部との間でマンホール蓋を締め付け、当該ねじ棒の左回転時に前記ストッパ杆の左回転規制面に当接することにより本体に対して相対的に下降してマンホール蓋を解放する締め付けナット部材と、を具備し、
前記キーは、
軸線方向に延びる平行２つの基本側面を持つ軸体の前記第１のコードディスクに対応する位置に、当該基本側面に対して４５°回転した平行２つの左回転駆動面を有するコード溝を有し、
前記リテーナディスクの鍵挿入開口は、前記キーの軸体の横断面に対応する形状で、当該軸体の基本側面に対応する平行側面が、当該リテーナディスクの前記第１及び第２の凹部に対して４５°の回転角度をなして形成され、
前記第１コードディスクの鍵挿入開口は、前記キーの軸体の横断面に対応する形状で、当該軸体の基本側面に対応する平行側面が、当該第１コードディスクの前記駆動凸部の突出方向に対して直交方向に向けて形成され、
前記第２コードディスクの鍵挿入開口は、前記キーの軸体の横断面形状を４５°回転させた軌跡に対応する形状で、当該第２コードディスクの前記駆動凸部の突出方向に対して直交方向の２つの平行側面からなる右回転受動面と、これに対して左方向へ４５°回転した２つの平行側面からなる左回転受動面を有する形状に形成され、
前記リテーナディスクの第１の凹部、前記２つのコードディスクの第１の凹部及び前記サイドバーを保持する前記ロータのスリットが、前記ハウジング部のロック溝に対向し、２つのコードディスクの駆動凸部がロータの切り欠きの右回転受動面に当接し、かつ前記ナット部材が、前記ストッパ杆の右回転規制面に当接するようにリテーナディスク、コードディスク、ロータ及びナット部材が整列した状態が鍵抜き差し位置として設定され、
それによって、前記鍵抜き差し位置からの前記ロータの右回転、すなわち前記ナット部材の締め付けは、前記リテーナディスク、コードディスク、ロータ及びナット部材の整列状態を崩すことなく前記第１コードディスクの鍵挿入開口に差し込まれる不特定の操作部材により可能とされるが、ロータの左回転、すなわち前記ナット部材の緩めは、前記キーによる操作のみによって可能とされることを特徴とするマンホール蓋の鍵孔用閉塞栓錠装置。
【発明の詳細な説明】
【技術分野】
【０００１】
この発明は、マンホール蓋の鍵孔を不使用時に閉塞して施錠することにより、無権限者によるマンホール蓋の開放行為を防止する鍵孔用閉塞栓錠装置に関する。
【背景技術】
【０００２】
地下敷設管路などの点検修理のためにマンホールの蓋を開放する際には、マンホール蓋に設けられた鍵孔に棒状手鍵のＴ字状先端部を挿入し、これを鍵孔の下面縁部に係合させ、マンホール蓋を引き起こし開放する。無権限者がマンホール蓋を開放するのを防止する手段としては、特許文献１に開示されたマンホール蓋の鍵孔用盲栓装置が知られている。
この装置は、本体と主軸と締め付けナットとで構成される。本体上部の円盤部の裏面には、マンホール蓋の上面部の位置決め用凹部に嵌合される位置決め用突起が設けられる。本体の下部は円筒状で、マンホール蓋の鍵孔に挿入される。本体には、中心部の上部から下部に連通して大径軸孔と小径軸孔が設けられる。本体の筒状部には、相対向する順回転時規制面と逆回転時規制面とを有する割り溝が設けられる。主軸の上部は、本体の大径軸孔に相対回転自在に受け入れられる。主軸の上端には、操作ハンドルの駆動用端部が係脱する受動用端部が設けられる。受動用端部の下部側には小径軸孔より大径の抜け止め用フランジが設けられる。抜け止め用フランジの下部側には、小径軸孔に嵌挿される雄螺子棒が設けられる。締め付けナットは、主軸の雄螺子棒に螺合される。締め付けナットの上部には、鍵孔の逃げ孔部を通過できる固定用爪が張り出す。固定用爪は、マンホール蓋の下面部に接離する。主軸を順回転させると、固定用爪が割溝の順回転時規制面に当接するまで締め付けナットが主軸と共回りし、当接後は主軸に沿って相対的に上昇し、また、逆回転させると、固定用爪が割溝の逆回転時規制面に当接するまで主軸と共回りし、当接後は主軸に沿って相対的に下降する。装置の下部をマンホール蓋の鍵孔に挿入し、特殊な操作ハンドルを主軸上端に係合させ、順方向に回転させることにより、締め付けナットを相対的に上昇させ、マンホール蓋の下面に当接させると、装置は鍵孔に対して抜け止めされる。主軸を逆回転させれば、ナットが下降して装置を回転させることができるから、ナットの位置を鍵孔に適合させて装置を鍵孔から引き抜くことができる。操作ハンドルがなければ主軸を順方向へも逆方向へも回転操作することができない。
【先行技術文献】
【特許文献】
【０００３】
【特許文献１】特開平１０−２０５１８４号公報
【発明の概要】
【発明が解決しようとする課題】
【０００４】
上記従来の装置においては、操作ハンドル以外の工具を用いても、比較的容易に主軸を回転させることができ、装置を鍵孔から抜き取ることができる。鍵孔に適宜の工具を掛けて引き上げれば、無権限者が容易にマンホール蓋を開くことができる。
したがって、この出願に係る発明の目的は、マンホール蓋の鍵孔を閉塞して施錠することができる防犯効果の高い鍵孔用閉塞栓錠装置を提供することである。本発明の他の目的は、施錠操作は適正なキーを用いずに適宜の代用工具を用いても行うことができるが、解錠操作は適正なキーを用いなければ行うことができない使い勝手のよいマンホール蓋の鍵孔用閉塞栓錠装置を提供することである。
【課題を解決するための手段】
【０００５】
以下、添付図面の符号を参照して説明するが、本発明はこれに限定されるものではない。
上記課題を解決するための、この出願に係る発明のマンホール蓋の鍵孔閉塞栓錠装置１は、マンホール蓋５１の鍵孔５２に挿入され、鍵孔５２を閉塞した状態で抜き取り不可能に施錠される閉塞栓２と、これを施解錠するためのキー３とを具備する。閉塞栓２は、本体４と、一対のストッパ杆５と、ロータ６と、ロータ６に保持されるリテーナディスク７、第１及び第２コードディスク８，９、サイドバー１０と、締め付けナット部材１１とを具備する。本体４は、円盤部１２とハウジング部１３とを有する。ストッパ杆５は、ハウジング部１３から下方へ延出する。ロータ６は、シリンダ部１５とねじ棒部１６とを有する。リテーナディスク７、第１コードディスク８、第２コードディスク９及びサイドバー１０は、ロータ６のシリンダ部１５内に保持され、キー３で回転操作される。締め付けナット部材１１は、ロータ６のねじ棒部１６に螺合される。円盤部１２は、中央にキーを挿入するための開口１２ｂを備え、下面がマンホール蓋５１の上面に当接する。ハウジング部１３は、円盤部１２の下面から、これと同心に下方へ延出し、マンホール蓋５１の鍵孔５２に挿入可能であり、内側に円盤部１２の開口１２ｂより内径の大きな円筒空間１３ａを有すると共に、内周に軸方向に延びるロック溝１３ｂを有し、円筒空間１３ａより小径の開口１４ａを有する蓋１４で下端が閉塞される。一対のストッパ杆５は、ハウジング部１３の下端周縁部の半径方向対向位置から軸方向に下方へ延出し、それぞれ右回転規制面５ａと左回転規制面５ｂを有する。ロータ６のシリンダ部１５は、上端が開放し、下端が開口１８ａを有する下端壁１８で閉塞され、回転軸線を中心に相対回転自在にハウジング部１３内に収容される。シリンダ部１５の側壁１７には、軸方向のスリット１７ａと、回転方向左右に対向する左回転受動面１７ｃと右回転受動面１７ｄとを持つ切欠き部１７ｂとが形成される。ロータ６のねじ棒部１６は、シリンダ部１５の開口１８ａに連通する貫通孔１６ａを有し、シリンダ部１５の下端壁１８の中央から下方へ軸方向に延出して、ハウジング部蓋１４の開口１４ａを相対回転自在に貫通する。リテーナディスク７は、ロータ６のシリンダ部１５内の上端部に回転軸線を中心に相対回転自在に収容され、シリンダ部１５の内径と同径の円形基本外周を持ち、中央に鍵挿入開口７ａを有し、基本外周の互いに９０°離れた位置に、第１、第２の2つの凹部７ｂ，７ｃを有すると共に、２つの凹部７ｂ，７ｃ間に、基本外周からなるロック部７ｄを有する。第１及び第２コードディスク８，９は、それぞれリテーナディスク７の下に直接または間接に重ねて配置され、リテーナディスク７と同径の円形基本外周を持ち、中央に互いに異なる形状の鍵挿入開口８ａ，９ａを有すると共に、基本外周の互いに４５°離れた位置に、第１、第２の2つの凹部８ｂ，９ｂを有すると共に、第１の凹部８ｂ，９ｂから左回転に１３５°離れた位置に、シリンダ部１５の切欠き部１７ｂ内へ突出する駆動凸部８ｄ，９ｄを有し、当該駆動凸部８ｄ，９ｄがシリンダ部１５の切り欠き部１７ｂ内で相対回転を許容される４５°の範囲でロータ６のシリンダ部１５内において回転軸線を中心に相対回転自在である。サイドバー１０は、シリン��部１５のスリット１７ａ内に保持され、ハウジング部１３のロック溝１３ｂに落ち込んだ外方位置とコードディスク８及びリテーナディスク７の凹部７ｂ，７ｃ，８ｂ，８ｃ，９ｂ，９ｃに落ち込んだ内方位置との間をシリンダ部１５の半径方向に移動自在で、常時はシリンダ部１５と共にハウジング部１３内を回転移動自在であるが、リテーナディスク７のロック部７ｄに当接してロック溝１３ｂに落ち込んだとき、ロータ６がハウジング部１３内で相対回転することを妨げる。締め付けナット部材１１は、マンホール蓋５１の鍵孔５２に対して所定の回転角度位置において当該鍵孔５２を通過するが、他の回転角度位置では通過不可能な外形をなし、ねじ棒１６に螺合され、マンホール蓋５１の下面下にあって、ねじ棒１６の右回転時にストッパ杆５の右回転規制面５ａに当接することにより本体４に対して相対的に上昇して円盤部１２との間でマンホール蓋５１を締め付け、ねじ棒１６の左回転時にはストッパ杆５の左回転規制面５ｂに当接することにより本体４に対して相対的に下降してマンホール蓋５１を解放する。キー３は、軸線方向に延びる平行２つの基本側面３ｂを持つ軸体３ａの第１コードディスク８に対応する位置に、当該基本側面３ｂに対して４５°回転した平行２つの左回転駆動面３ｃを持つコード溝３ｄを有する。リテーナディスク７の鍵挿入開口７ａは、キー３の軸体３ａの横断面に対応する形状で、当該軸体３ａの基本側面３ｂに対応する平行側面が第１及び第２の凹部７ｂ，７ｃに対して４５°の回転角度をなして形成される。第１コードディスク８の鍵挿入開口８ａは、キー３の軸体３ａの横断面に対応する形状で、当該軸体３ａの基本側面３ｂに対応する平行側面を駆動凸部８ｄの突出方向に対して直交方向に向けて形成される。第２コードディスク９の鍵挿入開口９ａは、キー３の軸体３ａの横断面形状を４５°回転させた軌跡に対応する形状で、駆動凸部９ｄの突出方向に対して直交方向の２つの平行側面からなる右回転受動面９ｅと、これに対して左方向へ４５°回転した２つの平行側面からなる左回転受動面９ｆを有する形状に形成される。リテーナディスク７の第１の凹部７ｂ、２つのコードディスク８，９の第１の凹部８ｂ，９ｂ及びサイドバー１０を保持するロータ６のスリット１７ａが、ハウジング部１３のロック溝１３ｂに対向し、２つのコードディスク８，９の駆動凸部８ｄ，９ｄがロータの切り欠き１７ｂの右回転受動面１７ｄに当接し、かつナット部材１１が、ストッパ杆５の右回転規制面５ａに当接するようにリテーナディスク７、コードディスク８，９、ロータ６及びナット部材１１が整列した状態が鍵抜き差し位置として設定される。それによって、鍵抜き差し位置からのロータ６の右回転、すなわちナット部材１１の締め付けは、各部材の整列状態を崩すことなくコードディスク８の鍵挿入開口８ａに差し込まれる不特定の操作部材により可能とされるが、ロータ６の左回転、すなわちナット部材１１の緩めは、キー２による操作のみによって可能とされる。
【発明の効果】
【０００６】
この出願に係る発明の装置によれば、マンホール蓋の鍵孔を閉塞して施錠することができる防犯効果の高い鍵孔閉塞栓錠装置を提供することができる。また施錠操作は適正なキーを用いずに汎用の代用工具を用いても行うことができるが、解錠操作は適正なキーを用いなければ行うことができない使い勝手のよいマンホール蓋の鍵孔閉塞栓錠装置を提供することができる。
【図面の簡単な説明】
【０００７】
【図１】本発明の実施形態に係るマンホール蓋の鍵孔用閉塞栓錠装置の正面図である。
【図２】図１の鍵孔用閉塞栓錠装置における閉塞栓の側面図である。
【図３】図１の鍵孔用閉塞栓錠装置における閉塞栓の平面図である。
【図４】図１の閉塞栓錠装置の底面図である。
【図５】図１の閉塞栓錠装置の断面図である。
【図６】（A）は図１の閉塞栓錠装置における閉塞栓本体の断面図、（B）は同底面図である。
【図７】（A）は図１の閉塞栓錠装置におけるロータ正面図、（B）は同平面図、（C）は同断面図である。
【図８】（A）は図１のVIIIA−VIIIA断面図、（B）はVIIIB−VIIIB断面図である。
【図９】図１の閉塞栓におけるフロントディスクの上面に沿った横断平面図である。
【図１０】図５の閉塞栓におけるリテーナディスクの上面に沿った横断平面図である。
【図１１】図５の閉塞栓における第１コードディスクの上面に沿った横断平面図である。
【図１２】図５の閉塞栓における第２コードディスクの上面に沿った横断平面図である。
【図１３】図１の閉塞栓錠装置を非正規キーで右回転操作するときの各部の動作を順を追って説明する各部の断面図である。
【図１４】図１の閉塞栓錠装置を非正規キーで左回転操作するときの各部の動作を順を追って説明する各部の断面図である。
【図１５】図１の閉塞栓錠装置を正規キーで左回転操作するときの各部の動作を（Ａ）、（Ｂ）の順を追って説明する各部の断面図である。
【図１６】図１５に続く各部の動作を（Ｃ）、（Ｄ）の順を追って説明する各部の断面図である。
【図１７】図１６に続く各部の動作を（Ｅ）、（Ｆ）の順を追って説明する各部の断面図である。
【図１８】図１７に続く各部の動作を（Ｇ）、（Ｈ）の順を追って説明する各部の断面図である。
【発明を実施するための形態】
【０００８】
図面を参照してこの発明の実施の形態を説明する。
図１ないし図５に示すように、マンホール蓋の鍵孔用閉塞栓錠装置１は、マンホール蓋５１の鍵孔５２に挿入され、鍵孔５２を閉塞した状態で抜き取り不可能に施錠される閉塞栓２と、これを施解錠するためのキー３とを具備する。
閉塞栓２は、本体４、ストッパ杆５、ロータ６、リテーナディスク７、第１及び第２コードディスク８，９、サイドバー１０及びナット部材１１を具備する。
閉塞栓本体４は、円盤部１２とハウジング部１３とを有する。円盤部１２は、マンホール蓋５１の上面部に形成される位置決め用凹部５３に嵌合される位置決め用突起１２ａを下面に備えると共に、中央にキー３を挿入するための開口１２ｂを備え、下面がマンホール蓋５１の上面に当接する。１２ｃは、鍵抜き差し位置表示である。
図６に示すように、閉塞栓本体４のハウジング部１３は、筒状で、円盤部１２の下面から、これと同心に下方へ延出し、マンホール蓋５１の鍵孔５２に挿入可能である。ハウジング部１３の内側には、円盤部１２の開口１２ｂより内径の大きな円筒空間１３ａが形成され、内周には、軸方向に延びるロック溝１３ｂが形成される。図５に示すように、ハウジング部１３の下端は、円筒空間１３ａより小径の開口１４ａを有する蓋１４で閉塞される。
図１，２，４に示すように、一対のストッパ杆５は、ハウジング部１３の下端周縁部の半径方向対向位置から軸方向に下方へ延出し、それぞれ右回転規制面５ａと左回転規制面５ｂを有する。
図５に示すように、ロータ６は、回転軸線を中心に相対回転自在にハウジング部１３内に収容されるシリンダ部１５と、それから下方へ延出するねじ棒部１６とを有する。シリンダ部１５の上端と円盤部１２の開口１２ｂの縁部との間には、フロントディスク１９が回転軸線を中心に相対回転自在に介設される。図９に示すように、フロントディスク１９は、円盤状で、中央に鍵挿入用開口１９ａを有する
図７に示すように、シリンダ部１５は、上端が開放し、下端が開口１８ａを有する下端壁１８で閉塞される。筒状の側壁１７には、軸方向のスリット１７ａと、切欠き部１７ｂが形成される。切欠き部１７ｂは、側壁１７の円周方向左右に対向する左回転受動面１７ｃと右回転受動面１７ｄとを有する。
ねじ棒部１６は、シリンダ部１５の下端壁１８の開口１８ａに連通する貫通孔１６ａを有し、下端壁１８の中央から下方へ軸方向に延出し、ハウジング部１３の開口１４ａを相対回転自在に貫通する。
図５に示すように、キー３で回転操作される４つのリテーナディスク７、２つの第１コードディスク８及び３つの第２コードディスク９が、シリンダ部１５内に、それぞれ回転軸線を中心に相対回転自在に積層して収容される。積層順は、上方から、リテーナディスク７−第２コードディスク９−第１コードディスク８−リテーナディスク７−第２コードディスク９−リテーナディスク７−第１コードディスク８−リテーナディスク７−第２コードディスク９の順である。
図１０に示すように、４つのリテーナディスク７は同一形状で、それの１つは、シリンダ部１５内の上端部に収容される。リテーナディスク７は、中央の鍵挿入開口７ａと、外周の第１、第２の凹部７ｂ、７ｃ及びその間のロック部７ｄとを具備する。すなわち、リテーナディスク７は、シリンダ部１５の内径と同径の円形基本外周を持ち、基本外周の互いに９０°離れた位置に、第１、第２の2つの凹部７ｂ、７ｃが形成され、２つの凹部７ｂ、７ｃ間に、基本外周からなるロック部７ｄが形成される。
図１１に示すように、2枚の第１コードディスク８は、同一形状である。第１コードディスク８は、中央に鍵挿入開口８ａを有し、リテーナディスク７と同径の円形基本外周を持つ。外周には、第１、第２の凹部８ｂ、８ｃと、駆動凸部８ｄとが形成される。第１、第２の2つの凹部８ｂ、８ｃは、基本外周の互いに４５°離れた位置に形成され、駆動凸部８ｄは、第１の凹部８ｂから左回転に１３５°離れた位置に形成される。駆動凸部８ｄは、シリンダ部１５の切欠き部１７ｂ内へ突出する。したがって、第１コードディスク８は、駆動凸部８ｄが切り欠き部１７ｂ内で相対回転を許容される４５°の範囲で、ロータ６のシリンダ部１５内において回転軸線を中心に相対回転自在である。
図１２に示すように、3枚の第２コードディスク９は、いずれも同一形状で、それの一つがリテーナディスク７の下に重ねて配置される。第２コードディスク９は、中央に鍵挿入開口９ａを有し、リテーナディスク７と同径の円形基本外周を持つ。外周には、第１、第２の凹部９ｂ、９ｃと、駆動凸部９ｄとを具備する。第１、第２の2つの凹部９ｂ、９ｃは、基本外周の互いに４５°離れた位置に形成される。駆動凸部９ｄは、第１の凹部９ｂから左回転に１３５°離れた位置に、基本外周から半径方向外側へ突出するように設けられる。駆動凸部９ｄは、シリンダ部１５の切欠き部１７ｂ内へ突出する。したがって、第２コードディスク９は、駆動凸部９ｄが切り欠き部１７ｂ内で相対回転を許容される４５°の範囲で、ロータ６のシリンダ部１５内において回転軸線を中心に相対回転自在である。
図５に示すように、最下方のコードディスク９とシリンダ部１５の端壁１８との間には、板ばね２０が介設され、ディスク７，８，９の相互間に適切な接触抵抗を付与する。
図１０〜１２に示すように、サイドバー１０は、シリンダ部１５のスリット１７ａ内に保持され、ハウジング部１３のロック溝１３ｂに落ち込んだ外方位置と、コードディスク８，９及びリテーナディスク７の凹部７ｂ，７ｃ，８ｂ，８ｃ，９ｂ，９ｃに落ち込んだ内方位置との間を、シリンダ部１５の半径方向に移動自在で、常時はシリンダ部１５と共にハウジング１３部内を回転移動自在であるが、図１４（Ｂ）に示すように、リテーナディスク７のロック部７ｄに当接してロック溝１３ｂに落ち込んだとき、ロータ６がハウジング部１３内で相対回転することを妨げる。
締め付けナット部材１１は、マンホール蓋５１の鍵孔５２に対して所定の回転角度位置において当該鍵孔５２を通過するが、他の回転角度位置では通過不可能な外形をなし、一対のストッパ杆５の間に位置してねじ棒部１６に螺合される。締め付けナット部材１１は、マンホール蓋５１の鍵孔５２に挿入された状態において、マンホール蓋５１の下面下にあり、ねじ棒部１６の右回転時に、ストッパ杆５の右回転規制面５ａ（図４）に当接することにより、ねじ棒部１６との供回りが規制され、本体４に対して相対的に上昇して円盤部１２との間でマンホール蓋５１を締め付け、ねじ棒１６の左回転時には、ストッパ杆５の左回転規制面５ｂ（図４）に当接することにより、本体４に対して相対的に下降してマンホール蓋５１を解放する。
一方、キー３は、図１、図８に示すように、軸線方向に延びる平行２つの基本側面３ｂを持つ軸体３ａの第１コードディスク８に対応する位置に、当該基本側面３ｂに対して４５°回転した平行２つの左回転駆動面３ｃを持つコード溝３ｄを有する。
図１０に示すように、キー３を受け入れるリテーナディスク７の鍵挿入開口７ａは、キー３の軸体３ａの基本横断面（図８（Ａ））に対応する形状で、当該軸体３ａの基本側面３ｂに対応する平行側面７ｅを有する。この平行側面７ｅは、第１及び第２の凹部７ｂ，７ｃに対してそれぞれ４５°の回転角度をなして形成される。
図１１に示すように、第１コードディスク８の鍵挿入開口８ａは、キー３の軸体３ａの基本横断面に対応する形状で、当該軸体３ａの基本側面３ｂに対応する平行側面８ｅを有する。平行側面８ｅは、駆動凸部８ｄの突出方向に対して直交方向に向けて形成される。
図１２に示すように、第２コードディスク９の鍵挿入開口９ａは、キーの軸体３ａの横断面形状（図８（Ａ））を軸周りに４５°回転させた軌跡に対応する形状で、駆動凸部９ｄの突出方向に対して直交方向の２つの平行側面からなる右回転受動面９ｅと、これに対して右方向へ４５°回転した２つの平行側面からなる左回転受動面９ｆを有する形状に形成される。
図１３（Ａ）、図１５（Ａ）に示すように、リテーナディスク７の第１の凹部７ｂ、２つのコードディスクの第１の凹部８ｂ，９ｂ及びサイドバー１０を保持するロータ６のスリット１７ａが、ハウジング部のロック溝１３ｂに対向し、２つのコードディスク８，９の駆動凸部８ｄ，９ｄが、ロータの切欠き１７ｂの右回転受動面１７ｄに当接し、かつナット部材１１が、ストッパ杆５の右回転規制面５ａに当接するようにリテーナディスク７、コードディスク８，９、ロータ６及びナット部材１１が整列した状態が鍵抜き差し位置として設定される。
いま、閉塞栓２がマンホール蓋５１の鍵孔５２に挿入された状態で、鍵抜き差し位置からロータ６を右回転、すなわちナット部材１１を締め付ける動作を、図１３を参照して説明する。ナット部材１１の締め付け操作（施錠操作）は、キー３を用いることなく、すなわち、鍵挿入開口１９ａ，７ａ，８ａ，９ａに挿入できるドライバーのような工具を用いても行うことができる。
ここでは、コード溝３ｃが形成されていない、キー３と同様の軸体のみの工具Ｔを用いて操作する例を説明する。図１３（Ａ）の鍵抜き差し位置に工具Ｔを挿入して右回転させる場合、少なくとも第１コードディスク８の鍵挿入開口８ａに軸体が挿入されていれば、第１コードディスク８が右回転し、それの駆動凸部８ｄがロータ６の右回転受動面１７ｄを押してロータ６を回転させる。ロータ６は、サイドバー１０を保持して、リテーナディスク７、第２コードディスク９と共に、それらの整列状態を維持したまま、ハウジング部１３内で右回転を継続することができる。ロータ６のねじ棒部１６が右回転すると、締め付けナット部材１１は、ストッパ杆５の右回転規制面５ａに当接していて右回転できないので、ねじ棒部１６に沿って相対的に上昇し、マンホール蓋５１の下面に当接することにより、円盤部１２との間でマンホール蓋５１を挟んでロックする。この状態では、閉塞栓２を鍵孔５２から抜き取ることができず、したがって、マンホール蓋５１を開放することができない。
これに対して、解錠操作（ナット部材１１を弛める操作）は、鍵抜き差し位置からロータ６を左回転させることにより行う。まず、この操作を、正規キー２でない工具Ｔを用いて行おうとする場合の動作を図１４を参照して説明する。図１４（Ａ）の位置から、工具Ｔを左回転させると、リテーナディスク７と第１コードディスク８が一体に回転するが、駆動凸部８ｄがロータ６の左回転受動面１７ｃに到達するまで（４５°左回転するまで）ロータ６は静止状態にある。ところが、リテーナディスク７が４５°回転すると、それのロック部７ｄがサイドバー１０を半径方向外側へ押して、ハウジング部１３のロック溝１３ｂ内に落とし込んで保持する。この状態では、ロータ６のスリット１７ａ内のサイドバー１０が内側へ逃げることができないので、ロータ６はロックされ左方向へ回転することができない。
このように、施錠操作は、キー３を用いることなく、すなわち、鍵挿入開口１９ａ，７ａ，８ａ，９ａに挿入できるドライバーのような工具を用いても行うことができるが、解錠操作はこのような工具では行うことができない。いったんマンホール蓋５１を外して、マンホール内での作業が終了した後は、キー３がなくても、作業員が鍵孔５２を閉塞したうえ、適宜の工具を用いて施錠することができるので、使い勝手が良好である。
次に、正規キー３を用いた解錠操作を図１５ないし図１８を参照して説明する。図１５（Ａ）の状態から、キー３を左回転させると、第１、第２コードディスク８，９の開口８ａ，９ａ内では、キー３が左４５°の位置まで空転し、リテーナディスク７のみを左に４５°回転させる（図１５（Ｂ））。そこでキー３の左回転駆動面３ｃが、第１コードディスク８の鍵挿入開口８ａの縁８ｅに当接し、また側面３ｂが第２コードディスク９の鍵挿入開口９ａにおける左回転受動面９ｆに当接し、ここからコードディスク８，９を回転させる。コードディスク８，９がさらに４５°回転すると、それらの駆動凸部８ｄ，９ｄがロータ６の左回転受動面１７ｃに当接する（図１６（Ｃ））。この間に、リテーナディスク７は、キー３と共に、初期位置から９０°回転し、それのロック部７ｄがサイドバー１０を通過（図１５（Ｂ））し、凹部７ｃがサイドバー１０に対向するので、サイドバー１０は解放される。したがって、ここからリテーナディスク７、コードディスク８，９、サイドバー１０をロータ６と一体に左回転させることができる。ロータ６が左回転すると、それのねじ棒部１６が締め付けナット部材１１と共に左回転し、ストッパ杆５の左回転規制面に当接する（図１７（Ｅ））。これによって、締め付けナット部材１１は回転が止められるので、その後ねじ棒部１６が左回転を継続すると、ねじ棒部１６に対して相対的に下降し、マンホール蓋５１の下面から離れる。図１７（Ｆ）の状態からさらにキー３を１３５°左回転させて図１８（Ｇ）の状態で解錠操作を終了したとして、ここから、キー３を抜き取る場合、今度はキー３を右へ１．５回転（図１８（Ｇ））させる。最初の右４５°回転の間は、コードディスク８，９に対して、キー３が空転し、リテーナディスク７のみがキー３と共に回転し、次の４５°で、ロータ６の左回転受動面１７ｃからコードディスク８，９の駆動凸部８ｄ，９ｄが離れ、ロータ６の右回転受動面１７ｄに駆動凸部８ｄ，９ｄが当接し、リテーナディスク７の凹部７ｂがサイドバー１０に対向する。さらに右回転させると、ロータ６が回転し、ナット部材１１がストッパ杆５の右回転規制面５ａに当接した状態で、各部が鍵挿入位置（図１８（Ｈ）、図１５（Ａ））に整列し、キー３を閉塞栓２から抜き取ることができる。この状態で、閉塞栓２を引き上げて、位置決め突起１２ｂをマンホール蓋の位置決め凹部５３から抜いた上で、軸周りに所定角度回転させて、締め付けナット部材１１の位置を鍵孔５２に適合させることで、鍵孔５２から抜き取ることができる。
【符号の説明】
【０００９】
１    鍵孔用閉塞栓錠装置
２    閉塞栓
３    キー
３ａ  軸体
３ｂ  基本側面
４    閉塞栓の本体
５    ストッパ杆
５ａ  右回転規制面
５ｂ  左回転規制面
６    ロータ
７    リテーナディスク
７ａ  鍵挿入開口
７ｂ  第１の凹部
７ｃ  第２の凹部
７ｄ  ロック部
８    第１コードディスク
８ａ  鍵挿入開口
８ｂ  第１の凹部
８ｃ  第２の凹部
８ｄ  駆動凸部
９    第２コードディスク
９ａ  鍵挿入開口
９ｂ  第１の凹部
９ｃ  第２の凹部
９ｄ  駆動凸部
９ｅ  右回転受動面
９ｆ  左回転受動面
１０  サイドバー
１１  締め付けナット部材
１２  円盤部
１２ｂ  開口
１３  ハウジング部
１３ａ  円筒空間
１３ｂ  ロック溝
１４  蓋
１４ａ  開口
１５  シリンダ部
１６  ねじ棒部
１６ａ  貫通孔
１７  側壁
１７ａ  スリット
１７ｂ  切り欠き部
１８  下端壁
１８ａ  開口
１９  フロントディスク
２０  板ばね
５１  マンホール蓋
５２  鍵孔
５３  位置決め凹部
Ｔ    工具
【図１】
0005385934.tif 000002
【図２】
0005385934.tif 000003
【図３】
0005385934.tif 000004
【図４】
0005385934.tif 000005
【図５】
0005385934.tif 000006
【図６】
0005385934.tif 000007
【図７】
0005385934.tif 000008
【図８】
0005385934.tif 000009
【図９】
0005385934.tif 000010
【図１０】
0005385934.tif 000011
【図１１】
0005385934.tif 000012
【図１２】
0005385934.tif 000013
【図１３】
0005385934.tif 000014
【図１４】
0005385934.tif 000015
【図１５】
0005385934.tif 000016
【図１６】
0005385934.tif 000017
【図１７】
0005385934.tif 000018
【図１８】
0005385934.tif 000019